(57)【要約】【課題】  マルチディスプレイシステムを構築するに当たり、マルチディスプレイの煩雑な設置条件の設定を緩和し、且つ表示遅延・電力消費の増加を軽減するための技術を提供すること。【解決手段】  第１の表示装置で表示される第１の映像から、第２の表示装置で表示される第２の映像に対する画像処理に必要な部分映像を、複数の表示装置における第１の表示装置の相対位置に基づいて特定し、該特定した部分映像を伝送路に送出する。伝送路を介して受信した部分映像を伝送路に転送する。伝送路を介して受信した部分映像のうち第１の表示装置と第２の表示装置との位置関係に応じた一部の映像と、第１の映像と、に基づいて該第１の映像に対する画像処理を行い、該画像処理を行った該第１の映像を表示する。【選択図】  図１
2018163321.tif 000002
【特許請求の範囲】
【請求項１】
伝送路を介してリング状に接続されている複数の表示装置を有するマルチディスプレイシステムであって、
前記複数の表示装置における第１の表示装置が、
前記第１の表示装置で表示される第１の映像から、該第１の表示装置と隣接する第２の表示装置で表示される第２の映像に対する画像処理に必要な部分映像を、前記複数の表示装置における前記第１の表示装置の相対位置に基づいて特定し、該特定した部分映像を前記伝送路に送出する送出手段と、
前記伝送路を介して受信した部分映像を前記伝送路に転送する転送手段と、
前記伝送路を介して受信した部分映像のうち前記第１の表示装置と前記第２の表示装置との位置関係に応じた一部の映像と、前記第１の映像と、に基づいて該第１の映像に対する画像処理を行い、該画像処理を行った該第１の映像を表示する表示制御手段と
を備えることを特徴とするマルチディスプレイシステム。
【請求項２】
前記転送手段は、前記伝送路を介して受信した部分映像の発行元が前記第１の表示装置でなければ、該部分映像を前記伝送路に転送し、前記伝送路を介して受信した部分映像の発行元が前記第１の表示装置であれば、該部分映像を破棄することを特徴とする請求項１に記載のマルチディスプレイシステム。
【請求項３】
前記表示制御手段は、前記第１の映像において、前記第１の表示装置と前記第２の表示装置との位置関係に応じた側に前記一部の映像を結合してから、前記第１の映像に対する画像処理を行うことを特徴とする請求項１又は２に記載のマルチディスプレイシステム。
【請求項４】
前記マルチディスプレイシステムは更に、
入力映像を複数の分割映像に分割し、該分割映像を前記複数の表示装置において対応する表示装置に対して送出する装置を有することを特徴とする請求項１乃至３の何れか１項に記載のマルチディスプレイシステム。
【請求項５】
前記画像処理は、周辺画素を用いた画像処理であることを特徴とする請求項１乃至４の何れか１項に記載のマルチディスプレイシステム。
【請求項６】
前記伝送路は、一方向の伝送を行うことを特徴とする請求項１乃至５の何れか１項に記載のマルチディスプレイシステム。
【請求項７】
前記伝送路は、双方向の伝送を行うことを特徴とする請求項１乃至５の何れか１項に記載のマルチディスプレイシステム。
【請求項８】
伝送路を介してリング状に接続されている複数の映像表示制御コントローラを有する映像表示システムであって、
前記複数の映像表示制御コントローラにおける第１の映像表示制御コントローラが、
前記第１の映像表示制御コントローラに対応する第１の映像から、該第１の映像表示制御コントローラと隣接する第２の映像表示制御コントローラに対応する第２の映像に対する画像処理に必要な部分映像を、前記複数の映像表示制御コントローラにおける前記第１の映像表示制御コントローラの相対位置に基づいて特定し、該特定した部分映像を前記伝送路に送出する送出手段と、
前記伝送路を介して受信した部分映像を前記伝送路に転送する転送手段と、
前記伝送路を介して受信した部分映像のうち前記第１の映像表示制御コントローラと前記第２の映像表示制御コントローラとの位置関係に応じた一部の映像と、前記第１の映像と、に基づいて該第１の映像に対する画像処理を行う手段と
を備えることを特徴とする映像表示システム。
【請求項９】
表示装置であって、
前記表示装置で表示される第１の映像から、該表示装置と隣接する他の表示装置で表示される第２の映像に対する画像処理に必要な部分映像を、前記表示装置と前記他の表示装置とを含む複数の表示装置における前記表示装置の相対位置に基づいて特定し、該特定した部分映像を伝送路に送出する送出手段と、
前記伝送路を介して受信した部分映像を前記伝送路に転送する転送手段と、
前記伝送路を介して受信した部分映像のうち前記表示装置と前記他の表示装置との位置関係に応じた一部の映像と、前記第１の映像と、に基づいて該第１の映像に対する画像処理を行い、該画像処理を行った該第１の映像を表示する表示制御手段と
を備え、
前記複数の表示装置は、伝送路を介してリング状に接続されていることを特徴とする表示装置。
【請求項１０】
映像表示制御コントローラであって、
前記映像表示制御コントローラに対応する第１の映像から、該映像表示制御コントローラと隣接する他の映像表示制御コントローラに対応する第２の映像に対する画像処理に必要な部分映像を、前記映像表示制御コントローラと前記他の映像表示制御コントローラとを含む複数の映像表示制御コントローラにおける前記映像表示制御コントローラの相対位置に基づいて特定し、該特定した部分映像を伝送路に送出する送出手段と、
前記伝送路を介して受信した部分映像を前記伝送路に転送する転送手段と、
前記伝送路を介して受信した部分映像のうち前記映像表示制御コントローラと前記他の映像表示制御コントローラとの位置関係に応じた一部の映像と、前記第１の映像と、に基づいて該第１の映像に対する画像処理を行う手段と
を備え、
前記複数の映像表示制御コントローラは、伝送路を介してリング状に接続されていることを特徴とする映像表示制御コントローラ。
【発明の詳細な説明】
【技術分野】
【０００１】
本発明は、映像を複数の装置で処理するための技術に関するものである。
【背景技術】
【０００２】
近年、映像ソース機器の高解像度化が進展しており、高解像度の映像を表示するためにディスプレイやプロジェクタ機器そのものが高解像度パネルを搭載し、高解像度表示を実現する製品が創出されている。また一方では、複数のディスプレイやプロジェクタ（以下、表示装置と称する）を連結して高解像度の１画面映像を形成するシステムも実現されている。複数の表示装置を連結して映像表示を行うシステム（以下、マルチディスプレイシステムと称する）では、映像ソース機器から映像データが各表示装置に供給される。各表示装置では、自身が表示する領域を表示することで複数の表示装置による高解像度表示が可能となる。マルチディスプレイシステムでは、各表示装置のパネル解像度の制約にとらわれず、パネル解像度を超える高解像度映像を表示することが可能であり、デジタルサイネージ等の商業用途等で使用されることが期待されている。
【０００３】
このようなマルチディスプレイシステムでは、単一の映像を各表示装置で表示する領域に映像ソース機器側で分割し、各表示装置に供給する構成が一般的である。このようなマルチディスプレイシステムにおいては、複数の表示装置で単一の映像を表示することが主たるユースケースとなり、各表示装置には分割された映像が入力されることとなる。この時、各表示装置では単一映像を分割した一領域を表示することとなるため、各表示装置の表示領域の端部領域は、他の隣接した領域の表示を司る表示装置で表示される映像と連続した映像となる。表示装置は一般的に入力映像に対して任意の画像処理を行うことで、映像の高画質化を図っている。画像処理としては様々なものが考えられるが、主に画素単位で画像処理を施すものと、フィルタ処理と呼ばれる「周辺画素を参照する画像処理」（以下、周辺画素参照画像処理と称する）を施すものと、に分類することが出来る。
【０００４】
マルチディスプレイシステムでの画像処理を視野に入れる場合、画素単位の画像処理は各表示装置に入力される映像のみで完結する画像処理であるが、周辺画素参照画像処理は各表示装置に入力される映像のみでは完結することが出来ない画像処理である。周辺画素参照画像処理に関して、マルチディスプレイシステムの例である図４（ｂ）を使用して具体的に説明する。
【０００５】
図４（ｂ）は、表示装置として９台のディスプレイを使用して構成した３×３の表示画面を示す図である。映像ソース機器からは、９つに分割された映像が各表示装置に入力され、各表示装置で画像処理を施して最終的に映像として出力され、結果として９つの表示装置を用いた大画面表示を実現することが出来る。ここで、各表示装置の表示領域の端部領域は隣接する他の表示装置と連続映像領域として取り扱われる必要がある。通常、周辺画素参照画像処理においては、表示領域の境界、すなわち端部領域はその画像処理に適した端部処理を施すことで実現している。
【０００６】
しかしながら、図４（ｂ）に示す構成においては、複数の表示装置で単一の映像を表示しているため、各表示装置の端部領域は分割映像の端部領域に過ぎず、全体の映像では端部領域ではないため、端部処理を施すのは適当ではない。従って、マルチディスプレイシステムにおいては各表示装置が他の表示装置の表示領域に含まれる端部映像を参照して周辺画素参照画像処理を施す必要がある。
【０００７】
このような端部領域に対する周辺画素参照画像処理の実現方法の一つとして、各表示装置間で画像処理にて必要とされる参照領域のデータをお互いにデータ伝送するという手法がある。この手法では、各表示装置は他の表示装置から自身の端部領域の画像処理に必要な端部映像データを受信するとともに、自身の表示領域の端部映像データを、他の表示装置に対して送出することとなる。図６（ａ）は、（２．２）の表示領域を担当する表示装置が端部領域の周辺画素参照画像処理として必要とする領域を斜線で示したものであり、図６（ａ）に示す如く、隣接する表示装置の端部領域のデータを受信することとなる。図６（ｂ）は、（２．２）の表示領域のうち、該表示領域を担当する表示装置以外の他の表示装置の周辺画素参照画像処理に必要な領域を斜線で示したものである。上辺・下辺・右辺・左辺に位置する端部領域は隣接する単一の表示装置に対して転送が必要であり、表示領域の四隅に位置する端部領域は隣接する４つの表示装置に対して転送が必要である。ここでは（２．２）の表示領域を担当する表示装置について記載しているが、隣接する領域数は異なるが、他の表示領域を担当する表示装置に関しても同様に、隣接する表示装置が担当する端部映像データを受信し、自身の端部映像データを送出する必要がある。
【先行技術文献】
【特許文献】
【０００８】
【特許文献１】特開2012-124759号公報
【発明の概要】
【発明が解決しようとする課題】
【０００９】
従って、このようなマルチディスプレイシステムを実現するためには、複数の表示装置間でのデータ相互通信が必要となり、またデータに依存して単一の表示装置から複数の表示装置への伝送が要求されることがあった。この実現方法として、汎用のチップ・装置間接続バス等を用いる方法がある。例えばPCIExpressのような汎用バスを用いて図４（ｂ）のマルチディスプレイシステムを実現する場合、図８に示すようなスター型の接続トポロジーを採用する必要があり、接続構成や個数に応じた専用のスイッチ機器を介して接続する必要があった。この場合、各表示装置は端部映像データを送信すべきターゲットの表示装置を指定してデータを転送する必要があるため、各表示装置は隣接する表示領域を担う表示装置がスター型接続のどのノードに接続されているかを知る必要がある。専用のスイッチ機器への接続は一般に設置ユーザに委ねられるため、常に各表示装置が固定のノードに接続されることを保証することは困難である。従って、各表示装置に対して、自表示装置の表示領域の指定のみならず隣接する表示領域を担当する表示装置が接続されているノードを明示的に設定する必要があるため、煩雑な設置条件の設定が必要であるという課題があった。
【００１０】
さらに、端部映像データの座標によっては同一の端部映像データを複数の表示装置に対して転送する必要があるため、同一データを異なるターゲットである表示装置に対して複数回データ転送を行う必要がある。同一データを複数回に渡り転送することで転送時間が長期化し、転送時間の長期化により画像処理の開始時間が遅れることとなる。マルチディスプレイシステムでは、各表示装置の出力フレームは同期する必要があるため、画像処理の開始時間の遅れにより入力から表示までの表示時間遅延が長くなるという課題が生じる。また、同一のデータがバス上に複数回伝送されることとなるため、電力消費の観点からも好ましくないという課題があった。
【００１１】
さらに例えば４×３の構成でマルチディスプレイの構成を実現する場合、図９に示す如く３×３とは異なるスター型のトポロジーを採用する必要があり、スイッチ機器の構成も異なってくる。マルチディスプレイの利点は複数の表示装置を結合してパネル解像度に依存しない高解像度・大画面・自由なアスペクトを実現することである。しかしながら、その構成に応じたスイッチ機器を用意する必要が生じるため、システム構成に応じた構成を実現するための機器を変更する必要があり、システムコストを押し上げるという課題もあった。さらに、システム構成が変化するに従い、煩雑なシステム構築を行う必要があるという課題があった。
【００１２】
本発明はこのような問題に鑑みてなされたものであり、マルチディスプレイシステムを構築するに当たり、マルチディスプレイの煩雑な設置条件の設定を緩和し、且つ表示遅延・電力消費の増加を軽減するための技術を提供する。
【課題を解決するための手段】
【００１３】
本発明の一様態は、伝送路を介してリング状に接続されている複数の表示装置を有するマルチディスプレイシステムであって、前記複数の表示装置における第１の表示装置が、前記第１の表示装置で表示される第１の映像から、該第１の表示装置と隣接する第２の表示装置で表示される第２の映像に対する画像処理に必要な部分映像を、前記複数の表示装置における前記第１の表示装置の相対位置に基づいて特定し、該特定した部分映像を前記伝送路に送出する送出手段と、前記伝送路を介して受信した部分映像を前記伝送路に転送する転送手段と、前記伝送路を介して受信した部分映像のうち前記第１の表示装置と前記第２の表示装置との位置関係に応じた一部の映像と、前記第１の映像と、に基づいて該第１の映像に対する画像処理を行い、該画像処理を行った該第１の映像を表示する表示制御手段とを備えることを特徴とする。
【発明の効果】
【００１４】
本発明の構成によれば、マルチディスプレイシステムを構築するに当たり、マルチディスプレイの煩雑な設置条件の設定を緩和し、且つ表示遅延・電力消費の増加を軽減することができる。
【図面の簡単な説明】
【００１５】
【図１】マルチディスプレイシステムの構成例を示すブロック図。
【図２】映像表示装置１００の機能構成例を示すブロック図。
【図３】分割映像におけるタイル群を示す図。
【図４】（ａ）はパケット形式の伝送データの構成例を示す図、（ｂ）は３×３の表示画面を示す図である。
【図５】映像表示装置１００の動作を示すフローチャート。
【図６】３×３の表示画面を示す図である。
【図７】自装置用判定部２０７が行う処理のフローチャート。
【図８】スター型の接続トポロジーを示す図。
【図９】スター型のトポロジーを示す図。
【図１０】マルチディスプレイシステムの構成例を示すブロック図。
【図１１】映像表示装置１００の機能構成例を示すブロック図。
【発明を実施するための形態】
【００１６】
以下、添付図面を参照し、本発明の実施形態について説明する。なお、以下説明する実施形態は、本発明を具体的に実施した場合の一例を示すもので、特許請求の範囲に記載した構成の具体的な実施例の１つである。
【００１７】
［第１の実施形態］
本実施形態では、伝送路を介してリング状に接続されている複数の表示装置を有し、入力映像を分割したそれぞれの分割映像を該複数の表示装置において対応する表示装置で表示するマルチディスプレイシステムの一例について説明する。以下では、図４（ｂ）に示す如く、水平方向３個×垂直方向３個の表示装置によって３×３の表示画面を形成するマルチディスプレイシステムを例にとり説明する。
【００１８】
先ず、本実施形態に係るマルチディスプレイシステムの構成例について、図１のブロック図を用いて説明する。図１に示す如く、本実施形態に係るマルチディスプレイシステムは、映像ソース機器１０２と、映像表示装置１００ａ〜１００ｉと、を有する。
【００１９】
映像ソース機器１０２は映像伝送路１０３ａ〜１０３ｉを介してそれぞれ映像表示装置１００ａ〜１００ｉと接続されている。映像ソース機器１０２は、入力映像を水平方向に３分割、垂直方向に３分割することで該入力映像を９個の分割映像に分割し、該分割したそれぞれの分割領域を、映像表示装置１００ａ〜１００ｉにおいて対応する映像表示装置に対して送信する。本実施形態では、映像ソース機器１０２は単一の機器であるものとするが、複数の機器で構成されても良い。
【００２０】
映像伝送路１０３ａ〜１０３ｉは、ＤＶＩやＨＤＭＩ（登録商標）、ＶＧＡケーブル等の一般的な映像伝送路のほか、ネットワーク等任意の映像の伝送が可能な任意の映像伝送路を用いても構わない。
【００２１】
映像表示装置１００ａ〜１００ｉのそれぞれは、表示装置間伝送路１０１ａ〜１０１ｉを介して映像表示装置１００ｂ、１００ｃ、…、１００ｉ、１００ａと接続されている。映像表示装置１００ａ〜１００ｉは、映像伝送路１０３ａ〜１０３ｉを介して映像ソース機器１０２から分割映像を受信すると共に、後述する伝送データを表示装置間伝送路１０１ａ〜１０１ｉに対して送出する。
【００２２】
表示装置間伝送路１０１ａ〜１０１ｉは映像伝送路１０３ａ〜１０３ｉと同様、任意の映像伝送路を用いて構わない。図１では、表示装置間伝送路１０１ａ〜１０１ｉとして、ＤＶＩやＨＤＭＩ等の映像伝送路のように送信側から受信側へ単一方向の伝送や半二重の伝送路で一方向の伝送を行う形態を例示している。
【００２３】
映像表示装置は、送信側から受信側の単一方向である表示装置間伝送路の入力と出力を有しており、図１に示されるように９台の映像表示装置が接続され、表示装置間伝送路としては単一方向の伝送路がリング状に接続可能な構成を有している。
【００２４】
以下では、映像表示装置１００ａ〜１００ｉに共通の説明では、映像表示装置１００ａ〜１００ｉを纏めて映像表示装置１００と表記する。つまり、以下の説明において、映像表示装置１００に係る説明は、映像表示装置１００ａ〜１００ｉのそれぞれに適用可能な説明である。
【００２５】
また、以下では、映像伝送路１０３ａ〜１０３ｉに共通の説明では、映像伝送路１０３ａ〜１０３ｉを纏めて映像伝送路１０３と表記する。つまり、以下の説明において、映像伝送路１０３に係る説明は、映像伝送路１０３ａ〜１０３ｉのそれぞれに適用可能な説明である。
【００２６】
また、以下では、表示装置間伝送路１０１ａ〜１０１ｉに共通の説明では、表示装置間伝送路１０１ａ〜１０１ｉを纏めて表示装置間伝送路１０１と表記する。つまり、以下の説明において、表示装置間伝送路１０１に係る説明は、表示装置間伝送路１０１ａ〜１０１ｉのそれぞれに適用可能な説明である。
【００２７】
次に、映像表示装置１００の機能構成例について、図２のブロック図を用いて説明する。
【００２８】
制御部２９９は、ＣＰＵなどのプロセッサとＲＡＭや不揮発性メモリなどのメモリ装置とを有する。制御部２９９は、プロセッサがメモリ装置に格納されているコンピュータプログラムやデータを用いて処理を実行することで機能するものである。制御部２９９は、映像表示装置１００全体の動作制御を行うと共に、映像表示装置１００が行うものとして後述する各処理を実行若しくは制御する。
【００２９】
映像入力Ｉ／Ｆ（インターフェース）２００は、映像ソース機器１０２から送信された分割映像を映像伝送路１０３を介して受信し、該受信した分割映像を、映像表示装置１００において処理可能なデータ形式に変換する。映像入力Ｉ／Ｆ２００は、一般的なベースバンドビデオのインターフェース機能を有していても良いし、ネットワーク等を介して伝送される映像のインターフェース機能を有していても良い。
【００３０】
配置情報保持部２０１は、マルチディスプレイシステムが構成する複数の映像表示装置１００の構成情報と、該複数の映像表示装置１００における自装置（第１の表示装置）の位置を示す位置情報と、を保持する。ここで、「複数の映像表示装置１００の構成情報」とは、水平方向の映像表示装置１００の数（本実施形態では「３」）及び垂直方向の映像表示装置１００の数（本実施形態では「３」）を示す情報である。また、「複数の映像表示装置１００における自装置の位置を示す位置情報」とは、例えば、図４（ｂ）を例にとり説明すると、３×３の映像表示装置１００において位置（１．３）における映像表示装置１００の位置情報は（１．３）となる。すなわち、この場合の「複数の映像表示装置１００における自装置の位置を示す位置情報」とは、水平座標が「１」、垂直座標が「３」を示す位置情報となる。また、３×３の映像表示装置１００において位置（２．２）における映像表示装置１００の位置情報は（２．２）、すなわち水平座標が「２」、垂直座標が「２」を示す位置情報となる。このように、映像表示装置１００の位置情報は、複数の映像表示装置における該映像表示装置１００の相対位置を表している。
【００３１】
配置情報保持部２０１が保持する情報は、例えばマルチディスプレイシステムの構成時にＵＩ（ユーザインターフェース）等を介したユーザ操作によって設定され、その設定情報が上記の構成情報や位置情報として配置情報保持部２０１に格納されることになる。
【００３２】
他装置用判定部２０２は配置情報保持部２０１が保持している情報を用いて、映像入力Ｉ／Ｆ２００が受信した分割映像において、他の映像表示装置１００（第２の表示装置）が周辺画素参照画像処理を行う際に使用する部分領域の映像（部分映像）を特定する。ここで、他装置用判定部２０２の動作について、図３（ａ）を例にとり説明する。
【００３３】
映像入力Ｉ／Ｆ２００は、分割映像を図３（ａ）に示す如く水平方向に８分割、垂直方向に１０分割することで該分割映像を複数の矩形（タイル）に分割し、分割映像をタイル単位で出力する。映像入力Ｉ／Ｆ２００はタイルに、該タイルの位置情報を添付して出力する。タイルの位置情報とは、分割映像内における該タイルの位置を示す情報である。例えば図３（ａ）に示す如く、分割映像において左上隅のタイルの位置情報は（０．０）となっており、右下隅のタイルの位置情報は（７．９）となっている。
【００３４】
然るに他装置用判定部２０２は、配置情報保持部２０１が保持している情報を参照し、映像入力Ｉ／Ｆ２００から出力されたそれぞれのタイルが、他の映像表示装置１００が周辺画素参照画像処理を行う際に使用するタイルであるのか否かを判定する。映像表示装置１００の分割映像において、該映像表示装置１００に隣接する他の映像表示装置１００の分割映像との隣接部は、該他の映像表示装置１００における周辺画素参照画像処理で必要になる。本実施形態では、図３（ａ）に示す如く、自装置の分割映像における周辺部のタイル（グレーで塗りつぶしたタイル）が、自装置以外の映像表示装置１００における周辺画素参照画像処理で使用される可能性があるタイルであるとする。ここで、自装置の分割映像内のタイル群のうち自装置以外の映像表示装置１００における周辺画素参照画像処理で使用されるタイルが上端のタイル群３００、下端のタイル群３０１、左端のタイル群３０２、右端のタイル群３０３の何れであるのかは、映像表示装置１００の並びにおける自装置の位置に応じて決まる。
【００３５】
映像表示装置１００の並びにおいて自装置よりも上端側に他の映像表示装置１００が存在する場合、自装置の分割映像において上端のタイル群３００は、他の映像表示装置１００における周辺画素参照画像処理で使用されるタイルとなる。つまり、他装置用判定部２０２は、配置情報保持部２０１が保持する位置情報が示す垂直座標が「１」ではない場合には、上端のタイル群３００を、他の映像表示装置１００における周辺画素参照画像処理で使用するタイルとして決定する。
【００３６】
映像表示装置１００の並びにおいて自装置よりも下端側に他の映像表示装置１００が存在する場合、自装置の分割映像において下端のタイル群３０１は、他の映像表示装置１００における周辺画素参照画像処理で使用されるタイルとなる。つまり他装置用判定部２０２は、配置情報保持部２０１が保持する位置情報が示す垂直座標が「構成情報が示す垂直方向の数」ではない場合、下端のタイル群３０１を他の映像表示装置１００における周辺画素参照画像処理で使用するタイルとして決定する。図４（ｂ）の場合、「構成情報が示す垂直方向の数」は「３」となる。
【００３７】
映像表示装置１００の並びにおいて自装置よりも左端側に他の映像表示装置１００が存在する場合、自装置の分割映像において左端のタイル群３０２は、他の映像表示装置１００における周辺画素参照画像処理で使用されるタイルとなる。つまり他装置用判定部２０２は、配置情報保持部２０１が保持する位置情報が示す水平座標が「１」ではない場合、左端のタイル群３０２を他の映像表示装置１００における周辺画素参照画像処理で使用するタイルとして決定する。
【００３８】
映像表示装置１００の並びにおいて自装置よりも右端側に他の映像表示装置１００が存在する場合、自装置の分割映像において右端のタイル群３０３は、他の映像表示装置１００における周辺画素参照画像処理で使用されるタイルとなる。つまり他装置用判定部２０２は、配置情報保持部２０１が保持する位置情報が示す水平座標が「構成情報が示す水平方向の数」ではない場合、右端のタイル群３０３を他の映像表示装置１００における周辺画素参照画像処理で使用するタイルとして決定する。図４（ｂ）の場合、「構成情報が示す水平方向の数」は「３」となる。
【００３９】
図４（ｂ）を例にとると、位置（３、２）に対応する映像表示装置１００の分割映像については図３（ｂ）に示す如くグレーで塗りつぶしたタイル群（上端のタイル群３００、下端のタイル群３０１、左端のタイル群３０２）が、他の映像表示装置１００における周辺画素参照画像処理で使用するタイルとして決定される。
【００４０】
他装置用判定部２０２によって「他の映像表示装置１００における周辺画素参照画像処理で使用するタイル」として決定されたそれぞれのタイルは、該タイルの位置情報と共に、伝送データ生成部２０３に対して送出する。なお、他装置用判定部２０２では、「他の映像表示装置１００における周辺画素参照画像処理で使用するタイル」として決定されなかったタイルに対しては処理を施さない。
【００４１】
伝送データ生成部２０３は、他装置用判定部２０２から受けたタイル及び該タイルの位置情報と、映像表示装置１００の識別情報と、を含む伝送データを生成する。伝送データのデータ形式については特定のデータ形式に限らないが、本実施形態では、パケット形式の伝送データを生成するものとする。パケット形式の伝送データの構成例を図４（ａ）に示す。パケット形式の伝送データは、ヘッダ部４００とペイロード部４０１とを有する。
【００４２】
ペイロード部４０１には、他装置用判定部２０２から受けた各タイルが含まれている。ヘッダ部４００は少なくとも、発行装置識別子４０２、他装置用判定部２０２から受けた各タイルの位置情報である座標情報４０３、を含む。発行装置識別子４０２は、配置情報保持部２０１から取得した「複数の映像表示装置１００における自装置の位置を示す位置情報」であるものとするが、映像表示装置１００を一意に識別可能な情報であれば、如何なる情報を採用しても良い。
【００４３】
これら発行装置識別子４０２と座標情報４０３とにより、ペイロード部４０１に含まれる各タイルに対するマルチディスプレイシステム全体の表示面内での位置情報を一意に定義することが出来る。なお、本実施形態においては上述の通り、映像表示装置１００の表示面内での位置情報を用いているが、発行装置識別子４０２と座標情報４０３に代わり、表示面全体の座標情報を定義しても構わない。
【００４４】
この他、ヘッダ部４００は時間情報４０４を含んでも良い。時間情報４０４により、映像表示装置１００間で授受される映像の時間方向の位置を特定することができ、複数の映像表示装置間でのフレーム同期に利用することが可能となる。また、パケット種別情報などをヘッダ部４００に含めることで、映像以外の情報授受も可能となる。
【００４５】
表示装置間Ｉ／Ｆ２０４は、他の映像表示装置１００から表示装置間伝送路１０１を介して伝送データを受信し、該受信した伝送データを、内部で処理可能なデータ形式に変換（パケット形式に再構築）する。表示装置間Ｉ／Ｆ２０４は、データ転送に必要な物理層・リンク層及びトランザクション層を備えたインターフェース回路であり、一般的な装置やチップ間接続インターフェース回路で構成しても構わない。そして表示装置間Ｉ／Ｆ２０４によってパケット形式に再構築された伝送データは、自装置発行判定部２０５及び自装置用判定部２０７に対して並列に転送される。
【００４６】
自装置発行判定部２０５は、表示装置間Ｉ／Ｆ２０４から受けた伝送データのヘッダ部４００内の発行装置識別子４０２と、配置情報保持部２０１が保持する「複数の映像表示装置１００における自装置の位置を示す位置情報」とが同じであるか否かを判断する。この判断の結果、同じであれば、自装置発行判定部２０５は、表示装置間Ｉ／Ｆ２０４から受けた伝送データは自装置が発行したものと判断し、該伝送データを破棄する。一方、同じではない場合には、自装置発行判定部２０５は、表示装置間Ｉ／Ｆ２０４から受けた伝送データは他装置が発行したものと判断し、該伝送データを表示装置間Ｉ／Ｆ２０６に対して送出する。
【００４７】
このような自装置発行判定部２０５の動作により、映像表示装置１００間を表示装置間伝送路１０１によってリング状に接続されたシステムにおいて、伝送データは発行元の映像表示装置１００に到達するまで順に伝送される構成を実現することが出来る。すなわち、伝送路を介してリング状に接続されているすべての映像表示装置１００に伝送データを伝送することが可能である。
【００４８】
表示装置間Ｉ／Ｆ２０６は、伝送データ生成部２０３が生成した伝送データや自装置発行判定部２０５から転送された伝送データを、表示装置間伝送路１０１を介して他の映像表示装置１００（他の映像表示装置１００の表示装置間Ｉ／Ｆ２０４）へ送信する。表示装置間Ｉ／Ｆ２０６は、データ転送に必要な物理層・リンク層及びトランザクション層を備えたインターフェース回路であり、一般的な装置やチップ間接続インターフェース回路で構成しても構わない。すなわち、表示装置間Ｉ／Ｆ２０６は、内部のデータ形式を、表示装置間伝送路１０１を介して伝送されるデータ形式に変換する機能を有するものである。本実施形態では、図４（ａ）を用いて説明したパケット形式のデータとして伝送されるので、パケット形式のデータを入力とし、表示装置間伝送路１０１における伝送形式に変換する。
【００４９】
なお、表示装置間Ｉ／Ｆ２０６は、伝送データ生成部２０３で生成された伝送データの入力と自装置発行判定部２０５から転送された伝送データの入力とを有している。表示装置間Ｉ／Ｆ２０６は、２つの経路から入力された伝送データを任意の調停機構を用いて調停し、表示装置間伝送路１０１へと伝送データを出力する機構を有する。
【００５０】
自装置用判定部２０７は、表示装置間Ｉ／Ｆ２０４から受けた伝送データに、自装置において周辺画素参照画像処理を行う際に参照するタイルが含まれているか否かを判断する。例えば、図６（ｂ）に示す如く、位置（２．２）における映像表示装置１００の分割映像のうち、その周辺の位置における映像表示装置１００において周辺画素参照画像処理を行うために必要な領域は斜線で示す領域（隣接領域）である。然るに自装置用判定部２０７はこのような場合、表示装置間Ｉ／Ｆ２０４から受けた伝送データに、斜線部で示す領域に対応するタイルが含まれているのか否かを判断する。自装置用判定部２０７が行う処理について、図７のフローチャートに従って説明する。
【００５１】
ステップＳ７００では、自装置用判定部２０７は、表示装置間Ｉ／Ｆ２０４から伝送データを取得する。ここで、配置情報保持部２０１に格納されている「複数の映像表示装置１００における自装置の位置を示す位置情報」（水平座標．垂直座標）を（Ｘ．Ｙ）とする。また、伝送データ中のヘッダ部４００に含まれている発行装置識別子４０２が示す「複数の映像表示装置１００における自装置の位置を示す位置情報」（水平座標．垂直座標）を（Ｘｉｎ．Ｙｉｎ）とする。また、伝送データ中のヘッダ部４００に含まれている座標情報４０３が表す各タイルの位置情報」（水平座標．垂直座標）を（Ｍ．Ｎ）とする。
【００５２】
ステップＳ７０１では、自装置用判定部２０７は、Ｘｉｎ＝Ｘであるのか否かを判断する。この判断の結果、Ｘｉｎ＝Ｘであれば、処理はステップＳ７０２に進み、Ｘｉｎ≠Ｘであれば、処理はステップＳ７０８に進む。
【００５３】
ステップＳ７０２では、自装置用判定部２０７は、Ｙｉｎ＝Ｙ＋１であるのか否かを判断する。この判断の結果、Ｙｉｎ＝Ｙ＋１であれば、処理はステップＳ７０４に進み、Ｙｉｎ≠Ｙ＋１であれば、処理はステップＳ７０５に進む。
【００５４】
ステップＳ７０４では、自装置用判定部２０７は、伝送データ中のペイロード部４０１に含まれているタイル群から、位置情報が（Ｍ．１）であるタイル（映像データ）を、自装置における周辺画素参照画像処理に要するタイルとして取得する。図３（ａ）の場合、ステップＳ７０４では、上端のタイル群３００を取得することになる。
【００５５】
一方、ステップＳ７０５では、自装置用判定部２０７は、Ｙｉｎ＝Ｙ−１であるのか否かを判断する。この判断の結果、Ｙｉｎ＝Ｙ−１であれば、処理はステップＳ７０７に進み、Ｙｉｎ≠Ｙ−１であれば、図７のフローチャートに従った処理は終了する。
【００５６】
ステップＳ７０７では、自装置用判定部２０７は、伝送データ中のペイロード部４０１に含まれているタイル群から、位置情報が（Ｍ．Ｑ）であるタイル（映像データ）を、自装置における周辺画素参照画像処理に要するタイルとして取得する。ここでＱは、分割映像における垂直方向のタイル数である。図３（ａ）の場合、ステップＳ７０７では、下端のタイル群３０１を取得することになる。
【００５７】
一方、ステップＳ７０８では、自装置用判定部２０７は、Ｘｉｎ＝Ｘ−１であるのか否かを判断する。この判断の結果、Ｘｉｎ＝Ｘ−１であれば、処理はステップＳ７０９に進み、Ｘｉｎ≠Ｘ−１であれば、処理はステップＳ７１８に進む。
【００５８】
ステップＳ７０９では、自装置用判定部２０７は、Ｙｉｎ＝Ｙ＋１であるのか否かを判断する。この判断の結果、Ｙｉｎ＝Ｙ＋１であれば、処理はステップＳ７１１に進み、Ｙｉｎ≠Ｙ＋１であれば、処理はステップＳ７１２に進む。
【００５９】
ステップＳ７１１では、自装置用判定部２０７は、伝送データ中のペイロード部４０１に含まれているタイル群から、位置情報が（Ｐ．１）であるタイル（映像データ）を、自装置における周辺画素参照画像処理に要するタイルとして取得する。ここで、Ｐは、分割映像において水平方向のタイル数である。図３（ａ）の場合、ステップＳ７１１では、上端のタイル群３００と右端のタイル群３０３とで共通のタイル（分割映像の右上隅のタイル）を取得することになる。
【００６０】
一方、ステップＳ７１２では、自装置用判定部２０７は、Ｙｉｎ＝Ｙ−１であるのか否かを判断する。この判断の結果、Ｙｉｎ＝Ｙ−１であれば、処理はステップＳ７１４に進み、Ｙｉｎ≠Ｙ−１であれば、処理はステップＳ７１５に進む。
【００６１】
ステップＳ７１４では、自装置用判定部２０７は、伝送データ中のペイロード部４０１に含まれているタイル群から、位置情報が（Ｐ．Ｑ）であるタイル（映像データ）を、自装置における周辺画素参照画像処理に要するタイルとして取得する。図３（ａ）の場合、ステップＳ７１４では、下端のタイル群３０１と右端のタイル群３０３とで共通のタイル（分割映像の右下隅のタイル）を取得することになる。
【００６２】
一方、ステップＳ７１５では、自装置用判定部２０７は、Ｙｉｎ＝Ｙであるのか否かを判断する。この判断の結果、Ｙｉｎ＝Ｙであれば、処理はステップＳ７１７に進み、Ｙｉｎ≠Ｙであれば、図７のフローチャートに従った処理は終了する。
【００６３】
ステップＳ７１７では、自装置用判定部２０７は、伝送データ中のペイロード部４０１に含まれているタイル群から、位置情報が（Ｐ．Ｎ）であるタイル（映像データ）を、自装置における周辺画素参照画像処理に要するタイルとして取得する。図３（ａ）の場合、ステップＳ７１７では、右端のタイル群３０３を取得することになる。
【００６４】
一方、ステップＳ７１８では、自装置用判定部２０７は、Ｘｉｎ＝Ｘ＋１であるのか否かを判断する。この判断の結果、Ｘｉｎ＝Ｘ＋１であれば、処理はステップＳ７１９に進み、Ｘｉｎ≠Ｘ＋１であれば、図７のフローチャートに従った処理は終了する。
【００６５】
ステップＳ７１９では、自装置用判定部２０７は、Ｙｉｎ＝Ｙ＋１であるのか否かを判断する。この判断の結果、Ｙｉｎ＝Ｙ＋１であれば、処理はステップＳ７２１に進み、Ｙｉｎ≠Ｙ＋１であれば、処理はステップＳ７２２に進む。
【００６６】
ステップＳ７２１では、自装置用判定部２０７は、伝送データ中のペイロード部４０１に含まれているタイル群から、位置情報が（１．１）であるタイル（映像データ）を、自装置における周辺画素参照画像処理に要するタイルとして取得する。図３（ａ）の場合、ステップＳ７２１では、上端のタイル群３００と左端のタイル群３０２とで共通のタイル（分割映像の左上隅のタイル）を取得することになる。
【００６７】
一方、ステップＳ７２２では、自装置用判定部２０７は、Ｙｉｎ＝Ｙ−１であるのか否かを判断する。この判断の結果、Ｙｉｎ＝Ｙ−１であれば、処理はステップＳ７２３に進み、Ｙｉｎ≠Ｙ−１であれば、処理はステップＳ７２４に進む。
【００６８】
ステップＳ７２３では、自装置用判定部２０７は、伝送データ中のペイロード部４０１に含まれているタイル群から、位置情報が（１．Ｑ）であるタイル（映像データ）を、自装置における周辺画素参照画像処理に要するタイルとして取得する。図３（ａ）の場合、ステップＳ７２３では、下端のタイル群３０１と左端のタイル群３０２とで共通のタイル（分割映像の左下隅のタイル）を取得することになる。
【００６９】
一方、ステップＳ７２４では、自装置用判定部２０７は、Ｙｉｎ＝Ｙであるのか否かを判断する。この判断の結果、Ｙｉｎ＝Ｙであれば、処理はステップＳ７２５に進み、Ｙｉｎ≠Ｙであれば、図７のフローチャートに従った処理は終了する。
【００７０】
ステップＳ７２５では、自装置用判定部２０７は、伝送データ中のペイロード部４０１に含まれているタイル群から、位置情報が（１．Ｎ）であるタイル（映像データ）を、自装置における周辺画素参照画像処理に要するタイルとして取得する。図３（ａ）の場合、ステップＳ７２５では、左端のタイル群３０２を取得することになる。
【００７１】
このように自装置用判定部２０７は、伝送データ中のペイロード部４０１に含まれているタイル群から、自装置の位置情報と、自装置に隣接する装置の位置情報と、の位置関係に応じたタイル群を取得する。
【００７２】
自装置用判定部２０７は、上記の処理によって「自装置における周辺画素参照画像処理に要するタイル」として伝送データから取得したタイルを、後段の結合部２０８に対して送出する。
【００７３】
結合部２０８は、映像入力Ｉ／Ｆ２００から出力されたタイル群と、自装置用判定部２０７から出力されたタイル群と、を結合する。例えば、図６（ａ）に示す如く、自装置用判定部２０７が、「自装置（位置（２．２）の映像表示装置１００）における周辺画素参照画像処理に要するタイル」として、その周辺の映像表示装置１００の分割映像において斜線部分のタイル群を取得したとする。このとき、結合部２０８は、位置（２．２）の映像表示装置１００の分割映像と、斜線部分のタイル群とを結合する。
【００７４】
位置（１．１）の映像表示装置１００は自装置の左上に隣接しているため、位置（１．１）の映像表示装置１００の分割映像における斜線部分のタイルは、自装置の分割映像の左上に結合する。位置（１．２）の映像表示装置１００は自装置の左に隣接しているため、位置（１．２）の映像表示装置１００の分割映像における斜線部分のタイル群は、自装置の分割映像の左に結合する。位置（１．３）の映像表示装置１００は自装置の左下に隣接しているため、位置（１．３）の映像表示装置１００の分割映像における斜線部分のタイルは、自装置の分割映像の左下に結合する。位置（２．１）の映像表示装置１００は自装置の上に隣接しているため、位置（２．１）の映像表示装置１００の分割映像における斜線部分のタイル群は、自装置の分割映像の上に結合する。位置（２．３）の映像表示装置１００は自装置の下に隣接しているため、位置（２．３）の映像表示装置１００の分割映像における斜線部分のタイル群は、自装置の分割映像の下に結合する。位置（３．１）の映像表示装置１００は自装置の右上に隣接しているため、位置（３．１）の映像表示装置１００の分割映像における斜線部分のタイルは、自装置の分割映像の右上に結合する。位置（３．２）の映像表示装置１００は自装置の右に隣接しているため、位置（３．２）の映像表示装置１００の分割映像における斜線部分のタイル群は、自装置の分割映像の右に結合する。位置（３．３）の映像表示装置１００は自装置の右下に隣接しているため、位置（３．３）の映像表示装置１００の分割映像における斜線部分のタイルは、自装置の分割映像の右下に結合する。このように、自装置の位置情報と他の映像表示装置１００の位置情報とを比べることで、他の映像表示装置１００の分割映像においてどのタイル（群）を分割映像のどの位置に結合するのかを確定する。
【００７５】
画像処理部２０９は、結合部２０８によって映像入力Ｉ／Ｆ２００からのタイル群に自装置用判定部２０７からのタイル群が結合された結合後映像に対して、周辺画素参照画像処理を行う。なお、画像処理の種類は周辺画素参照画像処理に限らない。そして画像処理部２０９は、周辺画素参照画像処理済みの映像から、自装置用判定部２０７からのタイル群を取り除いた残りの映像を、後段の映像出力部２１０に対して送出する。
【００７６】
映像出力部２１０は、画像処理部２０９から受けた映像を表示パネル２１１に表示する。なお、表示パネル２１１の代わりに、画像処理部２０９から受けた映像を投影するプロジェクタであっても構わない。
【００７７】
以上説明した映像表示装置１００の動作について、図５のフローチャートを用いて説明する。なお、図５に示した各ステップにおける処理の詳細については上記の通りであるから、その詳細な説明は省略する。
【００７８】
ステップＳ５０１では、映像入力Ｉ／Ｆ２００は、映像ソース機器１０２から送信された分割映像を映像伝送路１０３を介して受信し、該受信した分割映像を複数のタイルに分割し、分割映像をタイル単位で出力する。
【００７９】
ステップＳ５０２では、他装置用判定部２０２は、配置情報保持部２０１が保持している情報を用いて、映像入力Ｉ／Ｆ２００が受信した分割映像において、他の映像表示装置１００が周辺画素参照画像処理を行う際に使用するタイルを特定する。そして他装置用判定部２０２は、「他の映像表示装置１００における周辺画素参照画像処理で使用するタイル」として決定されたそれぞれのタイルを、該タイルの位置情報と共に、伝送データ生成部２０３に対して送出する。
【００８０】
ステップＳ５０３では、伝送データ生成部２０３は、他装置用判定部２０２から受けたタイル及び該タイルの位置情報と、映像表示装置１００の識別情報と、を含む伝送データを生成し、該生成した伝送データを表示装置間Ｉ／Ｆ２０６を介して送信する。
【００８１】
ステップＳ５０４では、表示装置間Ｉ／Ｆ２０４は、他の映像表示装置１００から表示装置間伝送路１０１を介して伝送データを受信し、該受信した伝送データを、内部で処理可能なデータ形式に変換（パケット形式に再構築）する。
【００８２】
ステップＳ５０５で自装置発行判定部２０５はステップＳ５０４で受信した伝送データのヘッダ部４００内の発行装置識別子４０２と、配置情報保持部２０１が保持する「複数の映像表示装置１００における自装置の位置を示す位置情報」とが同じかを判断する。この判断の結果、同じであれば、自装置発行判定部２０５は、表示装置間Ｉ／Ｆ２０４から受けた伝送データは自装置が発行したものと判断し、処理はステップＳ５０６に進む。一方、同じではない場合には、自装置発行判定部２０５は、表示装置間Ｉ／Ｆ２０４から受けた伝送データは他装置が発行したものと判断し、処理はステップＳ５０７に進む。
【００８３】
ステップＳ５０６では、自装置発行判定部２０５は、ステップＳ５０４で受信した伝送データを破棄する。一方、ステップＳ５０７では、自装置発行判定部２０５は、ステップＳ５０４で受信した伝送データを表示装置間Ｉ／Ｆ２０６を介して転送する。
【００８４】
ステップＳ５０８では、自装置用判定部２０７は、ステップＳ５０４で受信した伝送データ中のタイルが、自装置において周辺画素参照画像処理を行う際に参照するタイルであるのか否かを判断する。ステップＳ５０８では、図７のフローチャートに従った処理が行われる。
【００８５】
ステップＳ５０９では、結合部２０８は、映像入力Ｉ／Ｆ２００から出力されたタイル群と、自装置用判定部２０７から出力されたタイル群と、を結合する。ステップＳ５１０では、画像処理部２０９は、映像入力Ｉ／Ｆ２００からのタイル群に自装置用判定部２０７からのタイル群が結合された結合後映像に対して、周辺画素参照画像処理を行う。そして画像処理部２０９は、周辺画素参照画像処理済みの映像から、自装置用判定部２０７からのタイル群を取り除いた残りの映像を、後段の映像出力部２１０に対して送出する。ステップＳ５１１では、映像出力部２１０は、画像処理部２０９から受けた映像を表示パネル２１１に表示する。
【００８６】
［第２の実施形態］
以下では第１の実施形態との差分について重点的に説明し、以下で特に触れない限りは第１の実施形態と同様であるものとする。表示装置間伝送路１０１は、送信・受信の伝送路を備え、且つ双方向接続可能な全二重の伝送路で構成しても構わない。全二重の伝送路で表示装置間伝送路１０１を構築したマルチディスプレイシステムの構成例について、図１０のブロック図を用いて説明する。図１０に示す如く、各映像表示装置１００は全二重方式の表示装置間伝送路１０１の入出力を有し、伝送路としては双方向の表示装置間伝送路１０１を介してリング状に接続可能な構成を有している。
【００８７】
次に、本実施形態に係る映像表示装置１００の機能構成例について、図１１のブロック図を用いて説明する。図１１では、表示装置間伝送路１０１は全二重方式の伝送路で構成される場合を例示している。
【００８８】
映像表示装置１００は、表示装置間伝送路１０１に対するインターフェースとして、表示装置間Ｉ／Ｆ１１０１及び１１０２を有する。表示装置間Ｉ／Ｆ１１０１は、映像表示装置１００に接続されている他の２つの映像表示装置１００のうちの一方との間のデータ通信を行うためのものである。表示装置間Ｉ／Ｆ１１０１は、表示装置間Ｉ／Ｆ２０４と同様の表示装置間Ｉ／Ｆ２０４ａと表示装置間Ｉ／Ｆ２０６と同様の表示装置間Ｉ／Ｆ２０６ａとを有する。同様に、表示装置間Ｉ／Ｆ１１０２は、映像表示装置１００に接続されている他の２つの映像表示装置１００のうちの他方との間のデータ通信を行うためのものである。表示装置間Ｉ／Ｆ１１０２は、表示装置間Ｉ／Ｆ２０４と同様の表示装置間Ｉ／Ｆ２０４ｂと表示装置間Ｉ／Ｆ２０６と同様の表示装置間Ｉ／Ｆ２０６ｂとを有する。
【００８９】
つまり、表示装置間Ｉ／Ｆ１１０１及び１１０２のそれぞれは、一方の映像表示装置１００との間の相互通信、他方の映像表示装置１００との間の相互通信を行うためのものである。
【００９０】
表示装置間Ｉ／Ｆ２０４ａは、受信した伝送データを内部で処理可能なデータ形式に変換（パケット形式に再構築）してから、自装置発行判定部２０５ａ及び自装置用判定部２０７ａに対して送出する。同様に、表示装置間Ｉ／Ｆ２０４ｂは、受信した伝送データを内部で処理可能なデータ形式に変換（パケット形式に再構築）してから、自装置発行判定部２０５ｂ及び自装置用判定部２０７ｂに対して送出する。
【００９１】
自装置発行判定部２０５ａは、表示装置間Ｉ／Ｆ２０４ａから受信した伝送データは自装置が発行したものではないと判断した場合には、該伝送データを表示装置間Ｉ／Ｆ２０６ｂに対して送出する。一方、自装置発行判定部２０５ｂは、表示装置間Ｉ／Ｆ２０４ｂから受信した伝送データは自装置が発行したものではないと判断した場合には、該伝送データを表示装置間Ｉ／Ｆ２０６ａに対して送出する。
【００９２】
なお、図１１では、自装置発行判定部２０５ａと自装置発行判定部２０５ｂとを別個に設けたが、これらの機能部を１つに纏めて自装置発行判定部２０５としても良い。同様に、自装置用判定部２０７ａと自装置用判定部２０７ｂとを１つに纏めて自装置用判定部２０７としても良い。その場合、表示装置間Ｉ／Ｆ２０４ａ及び２０４ｂのそれぞれからの伝送データを選択的に切り替えて自装置発行判定部２０５及び自装置用判定部２０７に入力するための選択部が必要となる。例えば選択部は、表示装置間Ｉ／Ｆ２０４ａからの入力と表示装置間Ｉ／Ｆ２０４ｂからの入力とを交互に自装置発行判定部２０５及び自装置用判定部２０７に入力する。また、自装置発行判定部２０５による判断の結果、伝送データを表示装置間Ｉ／Ｆ２０６ａに出力するのか、それとも表示装置間Ｉ／Ｆ２０６ｂに出力するのかを切り替える切り替え部も必要となる。自装置発行判定部２０５による判断結果に応じた伝送データの出力先の選択については上記の通りである。
【００９３】
また、伝送データ生成部２０３によって生成された伝送データは、選択部１１０３に対して送出される。選択部１１０３は、伝送データ生成部２０３から受けた伝送データを表示装置間Ｉ／Ｆ１１０１及び１１０２の何れかに対して送出する。何れに対して送出するのかの決定方法には様々な方法がある。例えば、図１０に示す９つの映像表示装置１００間の伝送データの伝送方向に偏りがなくなるように、伝送データの出力先を表示装置間Ｉ／Ｆ１１０１及び１１０２の何れかに決定する。その場合、図示しないシステム全体を統括するソフトウエア等で各映像表示装置１００を個別に初期設定したり、各映像表示装置１００でマニュアル操作により個別に設定したりすることで実現することが可能である。このような選択部１１０３による伝送データの出力先の切替機構の作用により、表示装置間伝送路１０１の伝送方向による帯域を平準化することができる。
【００９４】
また、他の切替機構の作用は、図４（ｂ）で示す位置（２．２）以外の位置における映像表示装置１００については、データの送信先までの経路が小さくなるようにそれぞれ設定される構成が考えられる。その場合、図示しないシステム全体を統括するソフトウエア等で各映像表示装置１００を個別に初期設定したり、各映像表示装置１００でマニュアル操作により個別に設定したりすることで実現することが可能である。このような切替機構の作用により、表示装置間伝送路１０１の伝送時の遅延を抑えることができ、表示遅延を抑えたシステムの実現が可能である。
【００９５】
結合部２０８は、映像入力Ｉ／Ｆ２００からの分割映像に対し、自装置用判定部２０７ａ及び自装置用判定部２０７ｂの各々で「自装置における周辺画素参照画像処理に要するタイル」として伝送データから取得したタイル群を結合する。
【００９６】
ここで、表示装置間伝送路１０１について以下補足する。以下の説明の一部は第１の実施形態に該当する説明である。表示装置間伝送路１０１を単一方向の伝送路で構築した場合、データ伝送のインターフェースは入力・出力それぞれ単一となるため、映像表示装置１００の端子を少なくすることができる。一方、表示装置間伝送路１０１を全二重の伝送路で構築した場合、データ伝送のインターフェースはそれぞれ入出力双方を備えたものが必要となるため、単一方向の伝送路で構築した場合に比べて映像表示装置１００の該当端子が多くなってしまう。
【００９７】
しかし、表示装置間伝送路１０１を単一方向の伝送路で構築した場合、リング状の伝送路を介しての伝送が常に単一方向であるために伝送遅延を小さくすることができず、伝送路の帯域が大きくなってしまう。一方、表示装置間伝送路１０１を全二重の伝送路で構築した場合、リング状の伝送路を介しての伝送は双方向使用することが可能であるため、伝送遅延を小さく制御する事や伝送路の帯域を平準化することが可能となる。
【００９８】
以上説明した映像表示装置１００を複数用いてマルチディスプレイシステムを構成することで、映像表示装置１００間で映像の授受が必要であっても簡易な接続でシステムを構成することが可能である。これにより、煩雑な設置条件の設定を不要とし、簡易な設定でマルチディスプレイシステムを実現するというユーザーメリットをもたらす。さらに、映像の授受の回数を低減することから、システムの表示遅延や消費電力の観点でも有利なマルチディスプレイシステムを構成可能である。
【００９９】
具体的には、マルチディスプレイシステムを構成する表示装置間のデータ授受のための伝送路をリング状に構成することにより、専用のスイッチ機器が不要であるとともに簡便な方法でシステム構築が可能となる。あわせて各表示装置が自装置で必要な映像の取捨選択を行う構成を採用するので、各表示装置は表示領域が隣接する表示装置を明示的に指定することなくデータ伝送することで設置条件の設定を簡素化することが可能となる。さらに、１回のデータ伝送で複数の表示装置に対してデータ伝送が可能となるため、表示遅延・電力消費を抑えたマルチディスプレイシステムを構築することが可能となる。
【０１００】
＜変形例＞
第１の実施形態及び第２の実施形態については様々な変形／変更が可能である。例えば、上記のマルチディスプレイシステムにおいて、映像表示装置１００の代わりに、表示装置の制御を実現する映像表示制御コントローラLSIを採用しても良い。この場合、上記の説明及び図面において表示装置間Ｉ／Ｆをコントローラ間Ｉ／Ｆと変更する必要がある。複数の映像表示制御コントローラLSIを使用して高解像度映像表示システムを構築するに当たり、それぞれの映像表示制御コントローラLSIが図２や図１１の構成を有することで、LSI間の接続構成を簡素化することが可能となる。この場合、映像表示制御コントローラLSIは、表示パネル２１１を有する必要はなく、また、自装置に必要なデータを用いてどのような処理を行うのかについても様々な変形例がある。このような高解像度映像表示システムにより、基板実装の簡素化と部品点数の削減、消費電力の削減を図ることが可能である。
【０１０１】
また、上記の説明において、映像表示装置１００の数、分割映像の分割数、映像表示装置１００の水平方向の数、垂直方向の数など、上記の説明においてあげた具体的な数値は説明上使用したものであり、これらの数値は適宜変更可能である。
【０１０２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１０３】
２００：映像入力Ｉ／Ｆ  ２０１：配置情報保持部  ２０２：他装置用判定部  ２０３：伝送データ生成部  ２０４：表示装置間Ｉ／Ｆ  ２０５：自装置発行判定部  ２０６：表示装置間Ｉ／Ｆ  ２０７：自装置用判定部  ２０８：結合部  ２０９：画像処理部  ２１０：映像出力部  ２１１：表示パネル
【図１】
2018163321.tif 000003
【図２】
2018163321.tif 000004
【図３】
2018163321.tif 000005
【図４】
2018163321.tif 000006
【図５】
2018163321.tif 000007
【図６】
2018163321.tif 000008
【図７】
2018163321.tif 000009
【図８】
2018163321.tif 000010
【図９】
2018163321.tif 000011
【図１０】
2018163321.tif 000012
【図１１】
2018163321.tif 000013